(57)【要約】【課題】工具を用いた場合にのみ容易に取り外し可能な拡張カバーが用いられた刈払機を得る。【解決手段】２つの操作部１１Ｂの大部分は拡張カバーの装着時において操作部カバー部２２で覆われるが、左側の操作部１１Ｂの右上の部分、右側の操作部１１Ｂの左上の部分のみは窓部２２Ａ内で露出する。このため、各操作部１１Ｂにおいて、窓部２２Ａ内でこのように露出した部分のみを後方から操作する（押し込む）ことができる。プラグレンチを用いて窓部２２Ａ内における左右の両端側にある操作部１１Ｂを同時に押し込むことができる。２つの操作部１１Ｂを同時に押し込むことによって、拡張カバー２０を下側に移動させて取り外すことができる。【選択図】図４
2017131200.tif 000002
【特許請求の範囲】
【請求項１】
動力源によって回転駆動される駆動軸に対して装着される切断部材によって切断作業を行い、前記切断部材を覆うように固定される保護カバーを具備する刈払機であって、
前記保護カバーが覆う領域を拡張するように前記保護カバーに対して脱着可能とされて装着された拡張カバーを具備し、
前記保護カバー、前記拡張カバーのいずれかには、指先で同時に操作することが困難な複数の操作部が互いに分離して設けられ、
前記拡張カバーが前記保護カバーに装着された状態において、工具によって前記複数の操作部を同時に操作することで、前記拡張カバーを前記保護カバーから取り外すことが可能とされたことを特徴とする刈払機。
【請求項２】
前記拡張カバーが前記保護カバーに装着された状態において、
前記保護カバー、前記拡張カバーのうちの他方に設けられた開口又は切り欠き部である窓部内において複数の前記操作部が露出することを特徴とする請求項１に記載の刈払機。
【請求項３】
２つの前記操作部を同時に押すことによって、前記拡張カバーを前記保護カバーから取り外すことが可能とされたことを特徴とする請求項２に記載の刈払機。
【請求項４】
前記拡張カバーが前記保護カバーに装着された状態において、
前記操作部は、前記窓部内において、前記窓部の内径方向における両端部側にそれぞれ設けられたことを特徴とする請求項３に記載の刈払機。
【請求項５】
前記窓部の内径、及び前記窓部内における２つの前記操作部の間隔は、１ｃｍ〜２ｃｍの範囲であることを特徴とする請求項３又は４に記載の刈払機。
【請求項６】
前記動力源は点火プラグが装着されるエンジンであり、前記点火プラグの脱着に使用されるボックスレンチを前記窓部に嵌合させて２つの前記操作部を同時に押すことが可能とされたことを特徴とする請求項５に記載の刈払機。
【請求項７】
前記操作部は、前記拡張カバーが前記保護カバーに装着された状態において、外力が加わらない状態において突出し、かつ押し込むことが可能な凸形状を具備することを特徴とする請求項３から請求項６までのいずれか１項に記載の刈払機。
【請求項８】
前記保護カバー、前記拡張カバーのうちの他方は、前記拡張カバーが前記保護カバーに装着された状態において、外力が加わらない状態における前記操作部を係止する係止部を具備することを特徴とする請求項７に記載の刈払機。
【請求項９】
前記保護カバー、前記拡張カバーのうちの他方は、前記拡張カバーが前記保護カバーに装着された状態において、前記操作部が突出する側から複数の前記操作部を覆う操作部カバー部を具備し、
前記窓部は、前記操作部カバー部に設けられたことを特徴とする請求項７又は８に記載の刈払機。
【発明の詳細な説明】
【技術分野】
【０００１】
本発明は、作業者と刈刃との間に保護カバーが装着された刈払機の構造に関する。
【背景技術】
【０００２】
刈払機においては、細長い操作棹の前端部に刈刃（切断部材）が設けられ、この刈刃が回転することによって刈払い作業が行われる。刈刃は金属製の略円板状であり、その外周部に刃付け加工がなされている。操作棹の後端部には、エンジン（原動機）が搭載され、このエンジンの回転運動は操作棹内の伝達軸に伝達される。伝達軸の回転運動は操作棹前端部のギヤケースに設けられた駆動軸まで伝達される。駆動軸における回転運動の軸は、刈払い作業に適した方向とされ、この駆動軸に金属製の刈刃が装着されて回転駆動される。作業時において、作業者は操作棹に固定されたハンドルを把持し、操作棹の後端側に位置する。
【０００３】
ここで、前端側の刈刃によって刈り取られた草木が後方（作業者側）に飛散することを抑制するために、刈刃のすぐ後方においては、後方からみて刈刃を覆うように保護カバーが装着されている。こうした刈払機の構造は、例えば特許文献１に記載されている。
【０００４】
また、切断される草木の種類等に応じ、金属製の略円板状の刈刃に代わり、中心から放射状に延伸するワイヤが設けられた形態の切断部材（例えばナイロンコードカッタ）を用いることが好ましい場合がある。こうした場合には、この切断部材を刈刃の代わりに駆動軸に装着して同様の操作で刈払い作業を行うこともできる。
【先行技術文献】
【特許文献】
【０００５】
【特許文献１】特開２０１５−３７３９２号公報
【発明の概要】
【発明が解決しようとする課題】
【０００６】
一般的には、ワイヤが用いられた切断部材の全高は、略円板状の刈刃の全高よりも大きくなり、切断される範囲も、上下方向及び水平方向で、より広くなる。このため、こうしたワイヤが用いられた切断部材が装着可能な刈払機においては、大きな保護カバーが必要となる。ただし、こうした大きな保護カバーは、刈刃が用いられる際には大きすぎ、作業の障害になる場合があった。このため、切断部材の種類に応じて適正な保護カバーが必要となった。
【０００７】
このためには、切断部材の種類に応じて保護カバーが選択可能とすればよく、この場合には、保護カバーの操作棹に対する脱着が容易となるような構成とすればよい。あるいは、刈刃を用いる場合に適した小さな保護カバーが操作棹に固定され、保護カバーが覆う領域を拡張するような拡張カバーが、この保護カバーに対して容易に脱着可能とすればよい。刈刃が用いられる頻度が高い場合には、後者の構成が特に好ましい。
【０００８】
しかしながら、こうした拡張カバーが脱着容易とされた場合には、作業時の振動や接触によって拡張カバーが脱落しやすくなった。このため、拡張カバーの脱着は、工具を用いた場合にのみ容易に取り外し可能であり、単純な接触によっては拡張カバーは脱落しないことが望まれた。
【０００９】
このため、工具を用いた場合にのみ容易に取り外し可能であり、使用時に脱落しにくい拡張カバーが望まれた。
【００１０】
本発明は、かかる問題点に鑑みてなされたものであり、上記の問題点を解決する発明を提供することを目的とする。
【課題を解決するための手段】
【００１１】
本発明は、上記課題を解決すべく、以下に掲げる構成とした。
本発明の刈払機は、動力源によって回転駆動される駆動軸に対して装着される切断部材によって切断作業を行い、前記切断部材を覆うように固定される保護カバーを具備する刈払機であって、前記保護カバーが覆う領域を拡張するように前記保護カバーに対して脱着可能とされて装着された拡張カバーを具備し、前記保護カバー、前記拡張カバーのいずれかには、指先で同時に操作することが困難な複数の操作部が互いに分離して設けられ、前記拡張カバーが前記保護カバーに装着された状態において、工具によって前記複数の操作部を同時に操作することで、前記拡張カバーを前記保護カバーから取り外すことが可能とされたことを特徴とする。
本発明の刈払機は、前記拡張カバーが前記保護カバーに装着された状態において、前記保護カバー、前記拡張カバーのうちの他方に設けられた開口又は切り欠き部である窓部内において複数の前記操作部が露出することを特徴とする。
本発明の刈払機は、２つの前記操作部を同時に押すことによって、前記拡張カバーを前記保護カバーから取り外すことが可能とされたことを特徴とする。
本発明の刈払機は、前記拡張カバーが前記保護カバーに装着された状態において、前記操作部は、前記窓部内において、前記窓部の内径方向における両端部側にそれぞれ設けられたことを特徴とする。
本発明の刈払機において、前記窓部の内径、及び前記窓部内における２つの前記操作部の間隔は、１ｃｍ〜２ｃｍの範囲であることを特徴とする。
本発明の刈払機において、前記動力源は点火プラグが装着されるエンジンであり、前記点火プラグの脱着に使用されるボックスレンチを前記窓部に嵌合させて２つの前記操作部を同時に押すことが可能とされたことを特徴とする。
本発明の刈払機において、前記操作部は、前記拡張カバーが前記保護カバーに装着された状態において、外力が加わらない状態において突出し、かつ押し込むことが可能な凸形状を具備することを特徴とする。
本発明の刈払機において、前記保護カバー、前記拡張カバーのうちの他方は、前記拡張カバーが前記保護カバーに装着された状態において、外力が加わらない状態における前記操作部を係止する係止部を具備することを特徴とする。
本発明の刈払機において、前記保護カバー、前記拡張カバーのうちの他方は、前記拡張カバーが前記保護カバーに装着された状態において、前記操作部が突出する側から複数の前記操作部を覆う操作部カバー部を具備し、前記窓部は、前記操作部カバー部に設けられたことを特徴とする。
【発明の効果】
【００１２】
本発明は以上のように構成されているので、工具を用いた場合にのみ容易に取り外し可能な拡張カバーが用いられた刈払機を得ることができる。
【図面の簡単な説明】
【００１３】
【図１】本発明の実施の形態となる刈払機の構成を示す斜視図である。
【図２】本発明の実施の形態となる刈払機における保護カバーと拡張カバーの構成を示す斜視図（拡張カバーの装着前）である。
【図３】本発明の実施の形態となる刈払機における保護カバーと拡張カバーの構成を示す斜視図（拡張カバーの装着時）である。
【図４】本発明の実施の形態となる刈払機で拡張カバーが保護カバーに装着された状態における、操作部周囲の構造を示す背面図である。
【図５】拡張カバーが保護カバーに装着され、操作部に外力が加わらない状態（ａ）、操作部が押し込まれた状態（ｂ）を示す、操作部付近の断面図である。
【図６】窓部内の操作部を指を用いて操作する際の３種類の状況を示す背面図である。
【図７】拡張カバーが保護カバーに装着された状態で、プラグレンチを用いて操作部が押し込まれた状態を示す、操作部付近の断面図である。
【発明を実施するための形態】
【００１４】
本発明の実施の形態となる刈払機の構成について説明する。図１は、この刈払機１００全体の構成を示す斜視図である。この刈払機１００においては、前後方向に細長い操作棹１１０の先端（一端）側に、回転する切断部材（ナイロンコードカッタ１２０）が設けられる。操作棹１１０の後端（他端）側には、切断部材を駆動するための動力部１３０が設けられる。動力部１３０における動力源（原動機）としては、例えば２サイクル空冷式のエンジンが用いられる。操作棹１１０の内部に同軸に設けられた伝達軸（図示せず）は、遠心クラッチを介してエンジンのクランク軸と接続され、回転運動をする。この回転運動が、操作棹１１０の先端に設置されたギヤケース１４０側に伝達され、適切な減速比で駆動軸（図示せず）を回転させる。操作棹１１０における前後方向の中央よりもやや後方側には、作業者が把持するためのハンドル１５０が設けられている。このため、作業時において、作業者はハンドル１５０を把持した状態で操作棹１１０の後端側において動力部１３０の近くに位置する。
【００１５】
切断部材は、ギヤケース１４０の下部側において、駆動軸に装着される。切断部材としては、円周方向が刃付け加工された略円板状の刈刃が用いられる場合もあるが、図１においては、ナイロンコードカッタ１２０が用いられている。略円板状の刈刃とナイロンコードカッタ１２０は、切断する対象や作業の内容によって適宜選択される。ナイロンコードカッタ１２０においては、駆動軸に固定されるナイロンコードカッタ基部１２１に対して、ナイロン製のワイヤ（ナイロンコード１２２）が２本装着されている。回転時には、遠心力で広がったナイロンコード１２２が水平方向で高速に移動するため、刈刃を用いた場合と同様にナイロンコード１２２によって草木の切断を行うことができる。刈刃を用いた場合には、作業時に刈刃を移動させる方向に応じて刈刃の円周方向で切断が困難となる領域が発生するのに対し、ナイロンコードカッタ１２０を用いる場合には、円周方向の全方位にわたり切断を行うことができる。一方、ナイロンコードカッタ１２０は硬い草木の切断には不適であるため、両者は適宜選択されて使用される。
【００１６】
刈払い作業において切断された草木が作業者側（後方）に飛散することを抑制するために、ギヤケース１４０の後方側においては、刈刃やナイロンコードカッタ１２０を後方上側からみて覆うように、操作棹１１０に対して保護カバー１０が固定される。ここで、前記の通り、刈刃が用いられる場合には小さな保護カバー１０のみが用いられるのに対し、ナイロンコードカッタ１２０が用いられる場合には、保護カバー１０に対して、大きな拡張カバー２０が装着される。このため、拡張カバー２０の保護カバー１０に対する脱着作業は、刈刃やナイロンコード１２０の脱着と同様に作業者によって行われ、保護カバー１０、拡張カバー２０は、拡張カバー２０の保護カバー１０に対する装着を容易に行うことができる構造とされる。
【００１７】
ただし、作業時において、拡張カバー２０が草木や突起に当接した際に容易に外れることは好ましくない。この保護カバー１０、拡張カバー２０は、こうした際に拡張カバーが容易に脱落せず、その取り外しの際には工具が必要となるような構造とされている。一方、拡張カバーを保護カバーに装着する作業は、工具を要さずに容易に行うことができる。以下に、これらの組み合わせ構造について説明する。
【００１８】
図２は、拡張カバー２０が保護カバー１０に対して装着される前の状態を後方側からみた斜視図であり、図３は、これらが組み合わされた状態を示す同様の斜視図である。どちらの図においても、保護カバー１０が操作棹１１０に固定されていない状態が示されている。保護カバー１０、拡張カバー２０は、共に、軽量、硬質の樹脂材料で構成されている。
【００１９】
図２に示されるように、保護カバー１０においては、緩やかな曲面形状で下側に突出する保護カバー側当接部１１が設けられ、これに対応して、拡張カバー２０においては、同様の緩やかな曲面形状を具備し上側に突出する拡張カバー側当接部２１が設けられる。拡張カバー２０は、拡張カバー側当接部２１を後方から保護カバー側当接部１１に当接させた状態で固定される。この際、拡張カバー側当接部２１の上端部は、保護カバー１０側に設けられ下側に屈曲した上側ガイド部１２で係止される。
【００２０】
また、図２において、保護カバー側当接部１１の中央部とその左側には、略矩形形状の位置決め用凸部１１Ａが設けられている。位置決め用凸部１１Ａは、その下辺側で保護カバー側当接部１１と一体化され、その上辺側では後方側に向かって突出するような凸形状を具備する。保護カバー１０（保護カバー側当接部１１）は僅かに弾性変形が可能な樹脂材料で構成されるため、外力が加わらない状態では位置決め用凸部１１Ａは保護カバー側当接部１１の表面よりも後方に向かって突出しているが、これに力を加えて前方に向けて押し込むことができる。また、拡張カバー側当接部２１には、２つの位置決め用凸部１１Ａに対応して、２つの位置決め用開口２１Ａが設けられている。図３に示されるように、拡張カバー２０の装着時には各位置決め用凸部１１Ａが各位置決め用開口２１Ａ内に嵌り込むことによって、保護カバー１０に対する拡張カバー２０の取り付け位置が定まる。なお、位置決め用凸部１１Ａは、各々離間した位置にあり、位置決め用開口２１Ａに対して遊嵌する関係となっているため、拡張カバー２０の取り外し時には、端から独立して位置決め用凸部１１Ａを操作して位置決め用開口２１Ａとの係合を解除することができる。
【００２１】
ここで、図２において、保護カバー側当接部１１における図中右側の領域には、矩形形状で後方に向かって突出した２つの操作部１１Ｂが左右方向で近接して設けられている。操作部１１Ｂは前記の位置決め用凸部１１Ａよりも小さいが、位置決め用凸部１１Ａと同様の構造を具備する凸形状とされるため、２つの操作部１１Ｂも外力が加わらない状態ではそれぞれ後方に突出し、力を加えることによりこれらをそれぞれ前方に向けて押し込むことができる。保護カバー１０（保護カバー側当接部１１）は、位置決め用凸部１１Ａ、操作部１１Ｂ等を含んで一体成型された樹脂材料で構成される。
【００２２】
一方、拡張カバー２０（拡張カバー側当接部２１）側には、図３に示されるように、装着時において後方からみて２つの操作部１１Ｂの大半の部分を覆うように、操作部カバー部２２が設けられている。拡張カバー２０の装着時において操作部１１Ｂを覆うため、操作部カバー部２２は拡張カバー側当接部２１よりも後方に突出する。また、拡張カバー２０の装着時において後方からみて２つの操作部１１Ｂのそれぞれの一部を操作部カバー部２２から露出させるような、正六角形を上下方向で半分に切断した切り欠き形状でである窓部２２Ａが、操作部カバー部２２の上側に設けられている。前記の保護カバー１０と同様に、拡張カバー２０も、操作部カバー部２２等を含んで一体成型された樹脂材料で構成される。
【００２３】
図３に示されるように、拡張カバー側当接部２１が保護カバー側当接部１１と後方から当接し、位置決め用凸部１１Ａを位置決め用開口２１Ａに嵌合させ、２つの操作部１１Ｂが操作部カバー部２２で覆われる形態とすることによって、拡張カバー２０を保護カバー１０に装着することができる。前記の通り、保護カバー１０、拡張カバー２０は共に僅かに弾性変形することが可能であるため、この作業は、特に工具を要さずに作業者が行うことができる。すなわち、拡張カバー２０を保護カバー１０に対して容易に装着することができる。
【００２４】
図４は、拡張カバー２０が保護カバー１０に装着された状態において、操作部カバー部２２（操作部１１Ｂ）付近の形状を後方から見た拡大図である。図４に示されるように、２つの操作部１１Ｂの大部分は拡張カバー２０の装着時において操作部カバー部２２で覆われるが、左側の操作部１１Ｂの右上の部分、右側の操作部１１Ｂの左上の部分のみは窓部２２Ａ内で露出する。このため、各操作部１１Ｂにおいて、窓部２２Ａ内でこのように露出した部分のみを後方から操作する（押し込む）ことができる。
【００２５】
図５は、操作部１１Ｂに外力が加わらない状態（ａ）、操作部１１Ｂが後方から押し込まれた状態（ｂ）を示す、図４におけるＡ−Ａ方向の断面図である。前記の通り、外力が加わらない状態では、操作部１１Ｂは後方に突出する。この際、操作部カバー部２２における窓部２２Ａの左右両側の部分は、それぞれ後方に突出した操作部１１Ｂの上辺部を係止させるように前方に屈曲した係止部２２Ｂとされる。このため、図５（ａ）に示されたような操作部１１Ｂに外力が加わらない状態では、拡張カバー２０を保護カバー１０に対して下側に移動させることができない。この際、操作部１１Ｂは２つ設けられているため、どちらか一方の操作部１１Ｂが図５（ａ）の状態となっている限り、拡張カバー２０を下側に移動させることができない。また、前記の通り、操作部カバー部２２は左右方向において２つの操作部１１Ｂを覆うように形成されているため、拡張カバー２０を保護カバー１０に対して左右方向に移動させることも制限される。更に、拡張カバー側当接部２１の上端部は上側ガイド部１２で係止されるために、拡張カバー２０を保護カバー１０に対して上側にも移動させることができない。このため、少なくとも一つの操作部１１Ｂが図５（ａ）の状態となっている場合には、拡張カバー２０を保護カバー１０に対して上下左右のどの方向にも移動させることができない。
【００２６】
このため、例えば作業時に不意に位置決め用凸部１１Ａが押し込まれることがあっても、少なくとも一つの操作部１１Ｂと操作部カバー部２２の関係が図５（ａ）の状態になっている限り、拡張カバー２０が脱落することはない。
【００２７】
一方、窓部２２Ｂ内で露出した２つの操作部１１Ｂを後方から同時に押し込めば、２つの操作部１１Ｂの各々の箇所で図５（ｂ）の状態となり、操作部１１Ｂの上辺部が係止部２２Ｂと当接しないため、拡張カバー２０を下側に移動させることができる。このため、例えば２つの位置決め用凸部１１Ａを左端から順番に押し込んで下側に移動させて解除していき、最後に２つの操作部１１Ｂを同時に押し込むことによって、拡張カバー２０を下側に移動させて取り外すことができる。なお、これらを解除する順番は右側から左側、すなわち操作部１１Ｂからであってもよい。
【００２８】
ここで、窓部２２Ａ内において仮に２つの操作部１１Ｂを作業者の指で押し込む場合について説明する。図６（ａ）〜（ｃ）は、この場合における指Ｆと操作部１１Ｂの典型的な３種類の位置関係を図４と同様に示す図である。ここで、窓部２２Ａの内径（左右方向の幅）は、通常の体格の作業者の指Ｆが１本は入るが２本は入らない程度とされる。具体的には、この幅は１ｃｍ〜２ｃｍの範囲とされる。また、窓部２２Ａ内における２つの操作部１１Ｂの間隔も同様の範囲で、かつ窓部２２Ａの幅よりも小さく設定される。このため、操作部１１Ｂは、窓部２２Ａ内において、その左右両端部の狭い領域においてのみ露出する。
【００２９】
この場合、図６（ａ）に示されるように、指Ｆを窓部２２Ａ内の左右方向における一方の側（図中右側）に設けることによって、指Ｆによって一方（右側）の操作部１１Ｂのみを押し込むことができる。ただし、操作部１１Ｂの間隔が上記のとおりに設定されれば、この場合に他方の側（左側）の操作部１１Ｂを同時に押し込むことができない。指Ｆを窓部２２Ａの左右方向における中央に設けた図６（ｂ）の場合には、操作部１１Ｂは左右方向における端部に設けられるために、どちらの操作部１１Ｂも押し込むことができない。更に、窓部２２Ａの内径が上記のとおりに設定されれば、図６（ｃ）に示されるように、２本の指Ｆを窓部２２Ａ内に入れることができないため、やはりどちらの操作部１１Ｂも押し込むことができない。
【００３０】
このため、窓部２２Ａ内の２つの操作部１１Ｂを作業者の指Ｆを用いて同時に押し込むことは極めて困難である。このため、拡張カバー２０を作業者が誤って脱落させる（取り外す）ことも抑制される。一方で、窓部２２Ａ内に切り屑等が侵入することがあり、これを作業者が容易に除去できるようにするために、窓部２２Ａ内に指Ｆを１本挿入できることが好ましい。
【００３１】
ここで、前記の通り、動力部１３０における動力源としてエンジンが使用され、このエンジンにおいては点火プラグが使用されている。この点火プラグの脱着にはプラグレンチ（ボックスレンチ）が用いられ、プラグレンチの長手方向（差し込み方向）に垂直な外径の断面形状は、通常は点火プラグのナット形状に対応した正六角形となっている。前記の通り、窓部２２Ａは、正六角形を上下方向で半分に切断した形状とされ、この形状は、このプラグレンチが嵌合する形状とされる。図７は、プラグレンチＷを窓部２２Ａに後方から嵌入させた際の状態を図５（ｂ）に対応させて示す図である。この場合には、プラグレンチＷを用いて窓部２２Ａ内における左右の両端側にある操作部１１Ｂを同時に押し込むことができる。また、窓部２２Ａにおける正六角形の左右の辺を上下方向とすることにより、プラグレンチＷによって操作部１１Ｂを押し込みながら、拡張カバー２０を下側に移動させることもできる。このため、２つの位置決め用凸部１１Ａを順番に手で操作し、最後に操作部１１ＢでプラグレンチＷによる操作をすることによって、拡張カバー２０を下側に移動させることが可能となり、拡張カバー２０を保護カバー１０から取り外すことができる。
【００３２】
このように、上記の構成においては、拡張カバー２０が保護カバー１０に装着された状態において、指Ｆのみを用いて拡張カバー２０を取り外すことが極めて困難である一方で、プラグレンチＷを用いることにより、極めて容易に拡張カバー２０を取り外すことができる。また、突起物と接触することによって拡張カバー２０が脱落することも抑制される。このため、この保護カバー２０は、工具（プラグレンチＷ）を用いた場合にのみ容易に脱着可能であり、不意に脱落することが抑制される。
【００３３】
プラグレンチＷは、ディーゼルエンジン以外のエンジンにおいて通常使用される点火プラグの脱着に必須な工具であるため、通常は作業中において携帯される。このため、拡張カバー２０の取り外しのための専用の工具を必要とせず、プラグレンチＷを用いて拡張カバー２０の取り外しが可能である上記の構成が特に好ましい。ただし、同様に２つの操作部１１Ｂを押し込むことができる工具であれば、プラグレンチＷ以外の工具を用いることができる設定とすることもできる。このため、上記の構成は、動力源としてエンジンを使用しない、例えば電動の刈払機においても、有効である。この際、前記のような、窓部における指１本は入るが２本は入らない程度の内径に対応した外径をもつ工具を特に好ましく用いることができる。
【００３４】
なお、上記の構成においては、操作部１１Ｂは保護カバー１０側に、窓部２２Ａや係止部２２Ｂ（操作部カバー部２２）は拡張カバー２０側に設けられた。しかしながら、上記と同様の操作部を拡張カバー側に、窓部等を保護カバー側に設けることもできる。こうした場合においても、同様の効果を奏することは明らかである。また、上記の窓部２２Ａは操作部カバー部２２において設けられた切り欠き部であったが、２つの操作部を押し込みながら拡張カバーを取り外すことができる限りにおいて、周囲が閉じた開口部を窓部としてもよい。また、窓部の形状は、取り外しの際に使用する工具に応じて設定することができる。
【００３５】
また、上記の構成においては、２つの操作部１１Ｂが窓部２２Ａ内に設けられた。しかしながら、拡張カバーの取り外し時に同時に操作されるべき操作部を３つ以上としてもよい。この場合において、窓部の形状や操作部の窓部内における位置は、操作部の数や取り外しの際に使用する工具に応じて適宜設定される。
【００３６】
また、上記の構成においては、２つの操作部１１Ｂを同時に押し込むことによって拡張カバー２０を取り外すことができる設定とされたが、取り外しの際に操作部に対して行われる操作として、押し込む以外の操作を設定することもできる。例えば、工具を操作部に係止させて複数の操作部を同時に引く、あるいは水平方向に移動させる、回動させる等の操作によって拡張カバーを取り外すことができる設定としてもよい。すなわち、操作部に対して行われるべき操作の内容は、適宜設定することができる。操作部に係止されることにより拡張カバーの移動を規制する係止部の構成も、この操作部の構成に応じて設定される。
【符号の説明】
【００３７】
１０  保護カバー
１１  保護カバー側当接部
１１Ａ  位置決め用凸部
１１Ｂ  操作部
１２  上側ガイド部
２０  拡張カバー
２１  拡張カバー側当接部
２１Ａ  位置決め用開口
２２  操作部カバー部
２２Ａ  窓部
２２Ｂ  係止部
１００  刈払機
１１０  操作棹
１２０  ナイロンコードカッタ（切断部材）
１２１  ナイロンコードカッタ基部
１２２  ナイロンコード
１３０  動力部
１４０  ギヤケース
１５０  ハンドル
Ｆ  指
Ｗ  プラグレンチ（ボックスレンチ）
【図１】
2017131200.tif 000003
【図２】
2017131200.tif 000004
【図３】
2017131200.tif 000005
【図４】
2017131200.tif 000006
【図５】
2017131200.tif 000007
【図６】
2017131200.tif 000008
【図７】
2017131200.tif 000009